(57)【要約】【課題】印刷動作開始時に張力維持部材の振動を抑え、転写ブレを防ぐことで、印刷品質の向上が可能な用紙搬送装置を提供する。【解決手段】転写部機構の振動を吸収する緩衝材を設け、印刷開始時に振動を吸収する緩衝材が張力維持部材の振動を抑え、転写ブレを防ぐことで、印刷品質向上が達成可能となる。【選択図】        図２
2004177425.tif 000002
【特許請求の範囲】
【請求項１】
感光体と、前記感光体表面に記録材を接触させる印刷位置と、前記感光体表面から前記記録材を離す非印刷位置との間で進退移動可能に設けられたリトラクタと、前記リトラクタの進退移動とともに変位し前記記録材の張力を一定にする張力維持部材とを備えた画像形成装置において、前記リトラクタの進退移動に伴う前記張力維持部材の振動を吸収する緩衝材を、前記リトラクタおよび前記張力維持部材の少なくとも一方に設けたことを特徴とする画像形成装置。
【請求項２】
前記リトラクタの進退移動に伴う前記張力維持部材の振動を吸収する緩衝材を前記リトラクタおよび前記張力維持部材の両方に設けたことを特徴とする請求項１記載の画像形成装置。
【請求項３】
前記リトラクタの進退移動に伴う前記張力維持部材の振動を吸収する緩衝材に弾性ゴムを使用することを特徴とする請求項１記載の画像形成装置。
【請求項４】
感光体と、前記感光体表面に記録材を接触させる印刷位置と、前記感光体表面から前記記録材を離す非印刷位置との間で進退移動可能に設けられたリトラクタと、前記リトラクタの進退移動とともにリンク機構を介して変位し、前記記録材の張力を一定にする張力維持部材とを備えた画像形成装置において、前記リンク機構に、前記リトラクタの進退移動に伴う前記張力維持部材の振動を吸収する緩衝材を設けたことを特徴とする画像形成装置。
【請求項５】
前記リンク機構に、前記リトラクタの進退移動に伴う前記張力維持部材の振動を吸収する緩衝材として、スプリングを使用することを特徴とする請求項４記載の画像形成装置。
【発明の詳細な説明】
【０００１】
【発明の属する技術分野】
本発明は、画像形成装置に関するものである。
【０００２】
【従来の技術】
図４、図５に、従来技術における連続印刷用紙の画像形成装置の一例として、電子写真式印刷装置の概略図を示す。
【０００３】
印刷中、記録材である用紙１は、用紙１両端の搬送用穴にピンを挿入して用紙１を搬送するトラクタＡ２、トラクタＢ３により搬送される。感光ドラム５が回転し、帯電器６に高電圧が印加され、感光ドラム５表面に例えば正の電荷が均一に帯電される。ドットイメージに変換された文字データや図形データが、半導体レーザや発光ダイオードなどで構成された光学ユニット７のオン／オフ信号として感光ドラム５上に光が照射され、静電潜像が形成される。静電潜像は現像装置８により現像され、感光ドラム５上にトナー像が形成される。トナー像は、転写機構部４で用紙１の背面側にトナー像と逆極性の電荷を付与する転写器９の作用によって用紙１上にトナーが転写される。転写機構部４は、転写器９と用紙ガイドであるリトラクタ１０と張力維持部材１１からなっている。リトラクタ１０は、印刷時には、用紙１にトナーが転写し易いように感光ドラム５に接近し、非印刷時には、回転状態にある感光ドラム５上に付着しているトナーが用紙１に付着しないように離れた位置に移動する。
【０００４】
また、張力維持部材１１はリトラクタ１０と連動し、非印刷時に用紙１が感光ドラム５に接触しないように用紙を張る構成となっている。転写後、用紙１はトラクタＢ３と定着部２３との用紙搬送速度の差を吸収するバッファ２２を経て定着部２３に搬送され、トナー像が用紙１に溶融定着される。
【０００５】
印刷開始時には、駆動源１３に取付けられた偏心シャフト１４が回転し、偏心シャフト１４に接続されているリンクＡ１２が移動することにより、リトラクタ１０は、回転軸Ａ１５を中心とした揺動回転により、非印刷位置から印刷位置まで移動する。同時にリトラクタ１０に回転軸Ｂ１６で接合されたリンクＢ１９と、そのリンクＢ１９およびフレーム２０に、それぞれ回転軸Ｃ１７、回転軸Ｄ１８により取り付けられたリンクＣ２１とが回転移動することにより、リンクＣ２１に取り付けられた張力維持部材１１も回転軸Ｄ１８を中心に回転移動する。
【０００６】
印刷開始時に、リトラクタ１０が感光ドラム５に接近する際、リンクＢ１９が図５に示す矢印方向に引っ張られ、さらにリンクＣ２１が回転軸Ｄ１８を中心に回転するのに合わせて張力維持部材１１が動く。ここで、製造上、リンクＣ２１は、回転軸Ｃ１７や回転軸Ｄ１８との接合部にどうしてもガタがでてしまう。そのため、張力維持部材１１とリンクＣ２１がリトラクタ１０方向に回転移動する際に、回転軸Ｃ１７とリンクＢ１９、リンクＣ２１のすきま分（軸の穴径の誤差：ガタ）だけ、張力維持部材１１は、慣性により印刷に適切な停止位置から余分に移動してしまう。さらに、その後重力で逆に回転移動する際にも同様に適切な位置からずれ、用紙を押してしまう。やがて、張力維持部材１１は用紙１により、リトラクタ１０の方向に押し戻される。この一連の動作の繰り返しにより、張力維持部材は印刷開始時に振動してしまっていた。
【０００７】
張力維持部材１１が振動することにより、張力維持部材１１と接触する用紙１にも振動を与える。振動により、用紙１が感光ドラム５に対し速度差を発生することで転写ブレとなるため、印刷品質に悪影響を及ぼす問題があった。
【０００８】
【発明が解決しようとする課題】
印刷動作開始時に張力維持部材の振動を抑え、転写ブレを防ぐことで、印刷品質の向上が可能な用紙搬送装置を提供することが課題である。
【０００９】
【課題を解決するための手段】
上記課題を解決する為、本発明では、感光体と、前記感光体表面に記録材を接触させる印刷位置と、前記感光体表面から前記記録材を離す非印刷位置との間で進退移動可能に設けられたリトラクタと、前記リトラクタの進退移動とともに変位し前記記録材の張力を一定にする張力維持部材とを備えた画像形成装置において、前記リトラクタの進退移動に伴う前記張力維持部材の振動を吸収する緩衝材を、前記リトラクタおよび前記張力維持部材の少なくとも一方に設けたことを特徴とする。
【００１０】
また、前記リトラクタの進退移動に伴う前記張力維持部材の振動を吸収する緩衝材を前記リトラクタおよび前記張力維持部材の両方に設けたことを特徴とする。
【００１１】
また、前記リトラクタの進退移動に伴う前記張力維持部材の振動を吸収する緩衝材に弾性ゴムを使用することを特徴とする。
【００１２】
また、感光体と、前記感光体表面に記録材を接触させる印刷位置と、前記感光体表面から前記記録材を離す非印刷位置との間で進退移動可能に設けられたリトラクタと、前記リトラクタの進退移動とともにリンク機構を介して変位し前記記録材の張力を一定にする張力維持部材とを備えた画像形成装置において、前記リンク機構に、前記リトラクタの進退移動に伴う前記張力維持部材の振動を吸収する緩衝材を設けたことを特徴とする。
【００１３】
更に、前記リンク機構に、前記リトラクタの進退移動に伴う前記張力維持部材の振動を吸収する緩衝材として、スプリングを使用することを特徴とする。
【００１４】
【発明の実施の形態】
（実施例１）
本発明の第１の実施例として、張力維持部材の振動を吸収する緩衝材に弾性ゴムを用いた場合について、図１、図２を用いて説明する。なお、本発明以外の部分の搬送装置は、従来の技術の用紙搬送装置と同様の構成である。
【００１５】
リトラクタ１０の下部に弾性ゴムＡ２４、張力維持部材１１の先端部に弾性ゴムＢ２５を設ける。図１に示すように、非印刷時には、弾性ゴムＡ２４、弾性ゴムＢ２５は、互いに離れた状態である。
【００１６】
次に、印刷時について説明する。図２に示すように、リトラクタ１０下部の弾性ゴムＡ２４と、張力維持部材１１の先端部の弾性ゴムＢ２５とが、互いに接触する構成とする。
【００１７】
印刷開始時に発生する張力維持部材１１の振動は、張力維持部材１１が回転軸Ｃ１７とリンクＢ１９、リンクＣ２１のすきま分だけ余分に移動することにより発生する。そのため、弾性ゴムＡ２４、弾性ゴムＢ２５を互いに接触させ、リンクＢ１９、リンクＣ２１のすきまによる張力維持部材１１のガタを吸収することで、回転軸Ｃ１７とリンクＢ１９、リンクＣ２１のすきま分の余分な移動が無くなり、張力維持部材１１の振動を抑えることが可能となる。そのため、振動を抑えることにより転写ブレを防ぎ、安定した用紙搬送と印刷品質向上が可能となる。
（実施例２）
本発明の第２の実施例として、張力維持部材の振動を吸収する緩衝材としてスプリングを用いた場合について、図３を用いて説明する。
【００１８】
本発明以外の部分は、従来の技術で説明した用紙搬送装置と同様の構成である。リンクＢ１９とリンクＣ２１との間にスプリング２６を設け、印刷状態において、スプリング２６がリンクＢ１９とリンクＣ２１を互いを引き寄せる構成とする。このことにより、回転軸Ｃ１７と、リンクＢ１９、リンクＣ２１とに生じる隙間の影響を抑える。従って、張力維持部材１１の振動を抑えて、実施例１と同様の効果を得ることが可能となる。
【００１９】
【発明の効果】
本発明によれば、張力維持部材の振動を吸収する緩衝材を設け、印刷開始時に緩衝部材が張力維持部材の振動を抑えることで転写ブレを防ぎ、印刷品質の向上が可能となる。
【図面の簡単な説明】
【図１】本発明の緩衝材を実装した、非印刷時における画像形成装置の第１の実施例を示す概念図である。
【図２】本発明の緩衝材を実装した、印刷時における画像形成装置の第１の実施例を示す概念図ある。
【図３】本発明の緩衝材を実装した、印刷時における画像形成装置の第２の実施例を示す概念図である。
【図４】従来技術による画像形成装置の一例を示す概念図である。
【図５】従来技術による画像形成装置の転写部機構付近の一例を示す非印刷時の概念図である。
【符号の説明】
用紙…１、トラクタＡ…２、トラクタＢ…３、転写機構部…４、感光ドラム…５、帯電器…６、光学ユニット…７、現像装置…８、転写器…９、リトラクタ…１０、張力維持部材…１１、リンクＡ…１２、駆動源…１３、偏心シャフト…１４、回転軸Ａ…１５、回転軸Ｂ…１６、回転軸Ｃ…１７、回転軸Ｄ…１８、リンクＢ…１９、フレーム…２０、リンクＣ…２１、バッファ…２２、定着部…２３である。
【図１】
2004177425.tif 000003
【図２】
2004177425.tif 000004
【図３】
2004177425.tif 000005
【図４】
2004177425.tif 000006
【図５】
2004177425.tif 000007